(57)【要約】【課題】複数の階層の画面を同時に表示させるようにして操作性を向上させた入力装置、入力方法及び電子機器を提供する。【解決手段】複数の設定項目にそれぞれ当該設定項目を選択するための数値が付記された設定画面を、複数の階層に亘って同時に表示する表示装置と、前記数値を選択するための数字ボタンとを備え、前記数字ボタンの操作により対応した項目を選択して取り込むものである。【選択図】図２
2009110265.tif 000002
【特許請求の範囲】
【請求項１】
複数の設定項目にそれぞれ当該設定項目を選択するための数値が付記された設定画面を、複数の階層に亘って同時に表示する表示装置と、
前記数値を選択するための数字ボタンとを備え、
前記数字ボタンの操作により対応した項目を選択して取り込むことを特徴とする入力装置。
【請求項２】
複数の設定画面の上位層に移行させるための数値が所定の第１の数値に特定されていることを特徴とする請求項１記載の入力装置。
【請求項３】
１つの階層の設定画面が複数の画面に亘るときには、画面切り替えをするための所定の第２の数値が特定されていることを特徴とする請求項１又は２記載の入力装置。
【請求項４】
前記表示装置は、表示している前記設定画面にその階層を特定する情報を表示することを特徴とする請求項１〜３の何れかに記載の入力装置。
【請求項５】
前記表示装置は、表示している前記設定画面についての項目が選択されると、選択された項目に関連する下位層の設定画面を表示することを特徴とする請求項１〜４の何れかに記載の入力装置。
【請求項６】
複数の設定項目にそれぞれ当該設定項目を選択するための数値が付記された設定画面を、複数の階層に亘って同時に表示装置に表示する工程と、
前記設定項目に対応した数値の数字ボタンが操作されると、当該数字ボタンに対応した設定項目を選択して取り込む工程と
を備えたことを特徴とする入力方法。
【請求項７】
請求項１〜５の何れかに記載の入力装置を備えたことを特徴とする電子機器。
【発明の詳細な説明】
【技術分野】
【０００１】
本発明は、入力装置、入力方法及び電子機器に関し、特に、メニュー画面等の設定画面における処理に関する。
【背景技術】
【０００２】
従来のメニュー画面の操作においては、例えば上下左右の操作キー、エンターキー及びエスケープキーのキー操作により項目を選択していた。しかし、項目の選択に上下左右の操作キーを使用しなければならず、操作ステップが多くなるという問題点があった。このようなことから例えばユーザーがテンキー又はテンキーと若干のハードキーだけで所望の項目が選択できるようにした入力方法が提案されている（例えば特許文献１参照）。また、テンキーと項目とを予め対応させておいてテンキーを操作することにより該当する項目にアクセスできるようにした携帯通信端末が提案されている（例えば特許文献２参照）。
【特許文献１】特開２００３−２１９８６号公報
【特許文献２】特開２００３−２１９０１１号公報
【発明の開示】
【発明が解決しようとする課題】
【０００３】
上記の特許文献１において提案されている方法は、階層と番号とが対応付けられているが、画面構成については特に規定されていないという問題点がある。また、特許文献２において提案されている携帯通信端末は、１つの階層についてのメニュー画面が表示されているだけなので、他の階層との関係を直接的に把握することができず、操作性が悪いという問題点がある。
【０００４】
本発明は、このような問題点を解決するためになされたものであり、複数の階層の画面を同時に表示させるようにして操作性を向上させた入力装置、入力方法及び電子機器を提供することを目的とする。
【課題を解決するための手段】
【０００５】
本発明に係る入力装置は、複数の設定項目にそれぞれ当該設定項目を選択するための数値が付記された設定画面を、複数の階層に亘って同時に表示する表示装置と、前記数値を選択するための数字ボタンとを備え、前記数字ボタンの操作により対応した項目を選択して取り込むものである。本発明においては、複数の設定項目にそれぞれ当該設定項目を選択するための数値が付記された設定画面が複数の階層に亘って同時に表示され、数字ボタンの操作によりそれに対応した項目を選択して取り込むようにしており、数字ボタンの操作だけで済むのに加えて、複数の階層の設定画面が同時に表示されるので、相互の関係を直接把握することができ、操作性に優れたものとなっている。
【０００６】
本発明に係る入力装置は、複数の設定画面の上位層に移行させるための数値が所定の第１の数値に特定されている。本発明においては、複数の設定画面の上位層に移行させるための数値（第１の数値）が特定されており（例えば後述の実施形態の例では〔０〕ボタン）、どの階層においてもその数値ボタンを操作すれば上位層に移行するので操作し易いものとなっている。
【０００７】
本発明に係る入力装置は、１つの階層の設定画面が複数の画面に亘るときには画面切替えをするための所定の第２の数値が特定されている。本発明においては、画面切替えをするための数値（第２の数値）が特定されており（例えば後述の実施形態の例では〔９〕ボタン）、その画面切替えの際の操作が簡単なものとなっている。
【０００８】
本発明に係る入力装置において、前記表示装置は、表示している前記設定画面にその階層を特定する情報を表示する。本発明においては、表示されている設定画面がどの階層の項目を選択する状態になっているかを容易に把握することができ、この点からも操作性に優れたものとなっている。
【０００９】
本発明に係る入力装置において、前記表示装置は、表示している前記設定画面についての項目が選択されると、選択された項目に関連する下位層の設定画面を表示する。本発明においては、表示されている設定画面についての項目が選択されると、選択された項目に関連する下位層の設定画面を表示されるようにしたので、上位層と下位層との関係が分かり易いものとなっており、必然的に細項目を選択する方向に操作することになるので、こうした点からも操作性に優れたものとなっている。
【００１０】
本発明に係る入力方法は、複数の設定項目にそれぞれ当該設定項目を選択するための数値が付記された設定画面を、複数の階層に亘って同時に表示装置に表示する工程と、前記設定項目に対応した数値の数字ボタンが操作されると、当該数字ボタンに対応した設定項目を選択して取り込む工程とを備える。本発明においては、複数の設定項目にそれぞれ当該設定項目を選択するための数値が付記された設定画面が複数の階層に亘って同時に表示され、数字ボタンの操作により対応した項目を取り込むようにしており、複数の階層の設定画面が同時に表示されるので、相互の関係を直接把握することができ、操作性に優れたものとなっている。
【００１１】
本発明に係る電子機器は、上記の入力装置を備えたものである。本発明においては、操作性が向上した電子機器が得られる。
【発明を実施するための最良の形態】
【００１２】
図１は、本発明の実施形態１に係るプロジェクタの構成を示すブロック図である。プロジェクタ１０は、図１に示されるように、光源１１と、液晶ライトバルブ１２Ｒ，１２Ｇ，１２Ｂ（以下、区別しない場合は単に「液晶ライトバルブ１２」という）と、投写光学系１３と、液晶ライトバルブ駆動部１４と、制御部２０と、映像信号処理部３２と、フレームメモリ３３と、操作信号処理部４３と、操作パネル４４と、記憶部４５とを備えている。また、映像信号処理部３２には、後述のメニュー画面など表示するためのＯＳＤ（オンスクリーンディスプレイ）処理部３２０を有し、制御部２０には、演算部２１を有している。
【００１３】
制御部２０には、映像信号処理部３２、操作信号処理部４３及び記憶部４５が接続され、この制御部２０は、マイクロプロセッサ等により構成し、記憶部４５に記憶された制御プログラム等を実行して、プロジェクタ１の動作を統括制御し、制御部２０に接続された各部から入力される各種データを演算部２１により演算するとともに、演算結果を前記各部に出力する。
【００１４】
映像入力部３１は、外部の映像供給装置ＰＣからの映像信号を取り込んで、それが例えばアナログ映像信号の場合にはデジタルの映像信号に変換する等の処理をし、映像信号処理部３２に出力する。映像信号処理部３２には、フレームメモリ３３が接続されており、この映像信号処理部３２は、マイクロプロセッサ等により構成し当該映像信号処理部３２に格納されているプログラムを実行することにより、映像入力部３１からの映像信号を１フレーム（１画面）毎にフレームメモリ３３に記憶させると共に、フレームメモリ３３に記憶された映像（以下、フレーム映像ともいう）を読み出す機能を有し、映像信号の解像度を液晶ライトバルブ１２の解像度に合わせる解像度変換等の各種映像処理を施してデジタルの映像データを生成する。なお、供給される映像信号としては、例えば、パーソナルコンピュータから出力されたコンピュータ映像を表すＲＧＢ信号や、ビデオレコーダやテレビジョン受信機から出力された動画を表すコンポジット映像信号などの映像信号が供給される。
【００１５】
また、映像信号処理部３２のＯＳＤ処理部３２０は、制御部２０からの命令に従って、プロジェクタ１の各種状態を表す文字や記号、画質調整等を行う際のメニュー映像等のＯＳＤ映像信号と入力された映像信号とを合成して、合成映像信号として映像データを生成する。なお、ＯＳＤ映像を表示しない場合には、上記の合成処理を行わず、フレームメモリ３３から読み出したフレーム映像が、そのまま映像データとして液晶ライトバルブ駆動部１４に供給される。
【００１６】
液晶ライトバルブ駆動部１４は、入力された映像データに応じて、液晶ライトバルブ１２Ｒ，１２Ｇ，１２Ｂを駆動する。液晶ライトバルブ１２Ｒ，１２Ｇ，１２Ｂは、複数の画素（図示せず）がマトリクス状に形成されており、液晶ライトバルブ駆動部１４により各画素の透過率が調整されることにより、光源１１から射出された光を変調する。液晶ライトバルブ１２Ｒ，１２Ｇ，１２Ｂから射出される映像光は、クロスダイクロイックプリズム（図示せず）により合成され投写光学系１３によってスクリーンＳＣ上に拡大投写される。このような構成により、本実施の形態１のプロジェクタ１０は、映像供給装置ＰＣから入力された映像信号に対応する映像が、スクリーンＳＣに投写される。
【００１７】
また、操作パネル４４及びリモコンＲＣには、メニューボタン４６及びテンキー４７が組み込まれており、操作者は必要に応じて操作パネル４４及びリモコンＲＣを操作し（例えばメニュー画面を表示してその設定をする等）、その操作信号は、操作信号処理部４３に出力する。操作信号処理部４３は、操作パネル４４又はリモコンＲＣから入力された操作信号を受信し、これを制御部２０に出力し、制御部２０はその操作信号に基づいて命令を映像信号処理部３２に出力し、映像信号処理部３２はメニュー画面を表示させるため等の処理を行う。
【００１８】
次に、操作パネル４４又はリモコンＲＣのメニューボタン４６を操作してメニュー画面を表示して所望の項目を選択して設定するメニュー画面を図２〜図５に基づいて概念的に説明する。
【００１９】
図２はメニュー画面の一例を示した図である。このメニュー画面５０には、３層のメニュー画面（設定画面）が同時に表示されており、具体的には、第１の階層５１、第２の階層５２及び第３の階層５３が同時に表示されている。また、メニュー画面５０の上部には階層情報５４が表示されている。第１の階層５１としては、〔１〕画質、〔２〕設定、〔３〕情報、〔４〕初期化の４つの項目から構成されており、テンキー４７の〔１〕〜〔４〕の何れかのボタンを押下することにより該当する項目が選択される。図示の例においては、テンキー４７の〔１〕ボタンが押下されて「〔１〕画質」が選択された例が示されている。第１の階層５１の〔１〕画質の階層が選択されると、その下位層である第２の階層５２が併せて表示されてその選択処理に移行する（この段階で第１及び第２の階層が表示される）。第２の階層５２は、〔１〕カラーモード、〔２〕明るさ、〔３〕コントラスト、〔４〕シャープネス、〔５〕カラー調整、〔６〕初期化の６つの項目から構成されており、テンキー４７の〔１〕〜〔６〕の何れかのボタンを押下することにより該当する項目が選択される。図示の例においては、テンキー４７の〔１〕ボタンが押下されて「〔１〕カラーモード」が選択された例が示されている。第２の階層５２の〔１〕カラーモードが選択されると、その階層である第３の階層５３が併せて表示されてその選択処理に移行する（この段階で図２の表示状態になる）。第３の階層５３は、〔１〕カラーモードの階層として、〔１〕ダイナミック、〔２〕プレゼンテーション、〔３〕シアター、〔４〕フォトの４つの項目から構成されており、テンキー４７の〔１〕〜〔４〕の何れかのボタンを押下することにより該当する項目が選択される。図示の例においては、テンキー４７の〔２〕ボタンが押下されて「〔２〕プレゼンテーション」が選択された例が示されている。なお、図２のメニュー画面においては、第１の階層５１〜第３の階層５３のそれぞれについて１つの項目がフォーカスされた状態で便宜上表示されているが、選択対象となる階層の項目のみがフォーカスされる。
【００２０】
また、第２の階層５２及び第３の階層５３には、「〔０〕戻る」という項目が表示されており、テンキー４７の〔０〕ボタンが押下されると上位層に戻る。例えば、第３の階層５３においてテンキー４７の〔０〕ボタンが押下されると第２の階層５２に移行し、第２の階層５２においてテンキー４７の〔０〕ボタンが押下されると、第１の階層５１に移行することになる。
【００２１】
図３は、図２の第２の階層５２において「〔２〕明るさ」を選択したときの第３の階層５３に相当する調整画面の表示例である。明るさの調整についてはテンキー４７の〔４〕ボタンを押下することによりインデックス５５がマイナス（−）側に移動して明るさの程度が低く設定され、テンキー４７の〔６〕ボタンを押下することによりインデックス５５がプラス（＋）側に移動して明るさの程度が高く設定される。
【００２２】
図４及び図５は、図１の第１の階層５１において「〔２〕設定」が選択された場合にその下位層である第２の階層５２が２画面に亘って表示される場合の例を示している。図４の第２の階層５２は、〔１〕操作ボタンロック、〔２〕ポインタ形状、〔３〕輝度切替、〔４〕リモコン受光器、〔５〕設置モード、〔６〕待機モード、〔７〕スリープモード、〔８〕高地モード、〔９〕次へ、という９個の項目から構成されており、〔９〕が画面の切替えボタンの役割をしている。図４の表示画面において、テンキー４７の〔９〕ボタンを押下すると図５のメニュー画面に切り替わる。また、図５のメニュー画面において、「〔９〕前へ」という項目に対応するテンキー４７の〔９〕ボタンを押下すると、図４のメニュー画面に切り替わる。なお、図５の階層情報５４において「〔２／１〕メッセージ表示」は、２頁目の１番目の項目（〔１〕メッセージ表示）が選択されていることを示すものである。
【００２３】
次に、図２〜図５のメニュー画面を表示させる際の制御部２０及び映像信号処理部３２の処理について説明する。
【００２４】
図６は図２のメニュー画面を表示する際の処理を示すフローチャートである。上述のようにメニューボタン４６が押下されると、制御部２０はその操作信号を操作信号処理部４３を介して取り込んで映像信号処理部３２に対して所定の指令を与えてメニュー画面を表示させる。映像信号処理部３２は、制御部２０からの指令に基づいてトップ画面（最上位層のメニュー画面、第１の階層５１）を表示し且つフォーカスを「〔１〕画質」にするための映像信号を生成し、液晶ライトバルブ駆動部１４、液晶ライトバルブ１２及び投写光学系１３を介して、フォーカスが「〔１〕画質」に設定されたトップ画面をスクリーンＳＣに表示させる。このとき、メニュー画面５０の上部に階層情報５４として「〔１〕画質」と表示する（Ｓ１１）。なお、操作パネル４４等のテンキー４７が操作されたときには、制御部２０はその操作信号を操作信号処理部４３を介して取り込んで映像信号処理部３２に対してそのボタン操作に対応した所定の指令を与えることは、どの操作段階でもなされるが、以下の説明においてはその部分の説明は省略する。
【００２５】
上記の状態において、テンキー４７の〔１〕ボタンが押下されると、「〔１〕画質」が選択され、映像信号処理部３２は、「〔１〕画質」の下位階層である第２の階層５２を併せて表示させるとともに、フォーカスをその第２の階層５２の一番上の項目である「〔１〕カラーモード」に移動させる。そして、階層情報５４を「〔１〕画質＞〔１〕カラーモード」と表示させる（Ｓ１２）。この状態において、テンキー４７の〔１〕ボタンが押下されると、「〔１〕カラーモード」が選択され、その選択枝からなる第３の階層５３を表示させる（Ｓ１３）。図２のメニュー画面はこのように〔１〕−〔１〕ボタンが押下されたときの状態を示した図である。この状態において、テンキー４７の〔１〕〜〔４〕ボタンが押下されると（Ｓ１４）、〔１〕〜〔４〕ボタンに対応した項目が選択され、「〔１〕カラーモード」の設定をその選択された項目に変更するとともに第２の階層５２の該当する部分の表示を更新させる（Ｓ１６）。例えば図２の例において「〔２〕プレゼンテーション」が選択されると、「〔１〕カラーモード」の設定項目を「プレゼンテーション」としてその表示を更新させる。そして、上記の処理（Ｓ１３）に移行する。また、上記の処理（Ｓ１３）の後に、テンキー４７の〔０〕ボタンが押下されると（Ｓ１５）、上記の処理（Ｓ１２）に移行し、メニュー画面が前の画面（上位の階層）に戻ることになる。以上の処理が適宜行われ、例えばメニューボタン４６が押下されることによりメニュー設定が終了することになる。
【００２６】
図７は、図３のメニュー画面を表示する際の処理を示すフローチャートである。上述のようにメニューボタン４６が押下されると、上述の例と同様に、映像信号処理部３２は、制御部２０からの指令に基づいてトップ画面（最上位層のメニュー画面、第１の階層５１）を表示し、且つ、フォーカスを「〔１〕画質」にするための映像信号を生成し、液晶ライトバルブ駆動部１４、液晶ライトバルブ１２及び投写光学系１３を介して、フォーカスが「〔１〕画質」に設定されたトップ画面をスクリーンＳＣに表示させる。また、メニュー画面５０の上部に階層情報５４として「〔１〕画質」と表示させる（Ｓ２１）。
【００２７】
次に、上記の状態において、テンキー４７の〔１〕ボタンが押下されると、「〔１〕画質」を選択し、映像信号処理部３２は、「〔１〕画質」の下位階層である第２の階層５２を表示させるとともに、フォーカスをその第２の階層５２の一番上の項目である「〔１〕カラーモード」に移動させる。そして、階層情報５４を「〔１〕画質＞〔１〕カラーモード」と表示させる（Ｓ２２）。 そして、その状態において、テンキー４７の〔２〕ボタンが押下されると、〔２〕明るさが選択され、フォーカスが〔２〕明るさに移動し、〔２〕明るさの下階層である調整画面５３を表示させる。また、この段階においては、階層情報５４を「〔１〕画質＞〔２〕明るさ」と表示する（Ｓ２３）。図３の画面はこのように〔１〕−〔２〕ボタンが押下されたときの状態を示した図である。次に、このような状態において、テンキー４７の〔１〕又は〔６〕ボタンが押下されると（Ｓ２４）、〔１〕又は〔６〕ボタンの押下時間（又は押下回数）に応じて明るさを変更し、第２の階層５２の設定画面の表示を更新させる（Ｓ２５）。また、上記の処理（Ｓ２３）の後に、テンキー４７の〔０〕ボタンが押下されると（Ｓ２６）、上記の処理（Ｓ２２）に移行し、メニュー画面が前の画面（上位の階層）に戻ることになる。以上の処理が適宜行われ、例えばメニューボタン４６が押下されることによりメニュー設定が終了することになる。
【００２８】
図８は、図４及び図５のメニュー画面を表示する際の処理を示すフローチャートである。上述のようにメニューボタン４６が押下されると、上述の例と同様に、映像信号処理部３２は、制御部２０からの指令に基づいてトップ画面（最上位層のメニュー画面、第１の階層５１）を表示し、且つ、フォーカスを「〔１〕画質」にするための映像信号を生成し、液晶ライトバルブ駆動部１４、液晶ライトバルブ１２及び投写光学系１３を介して、フォーカスが「〔１〕画質」に設定されたトップ画面をスクリーンＳＣに表示させる。このとき、メニュー画面５０の上部に階層情報５４を「〔１〕画質」と表示させる（Ｓ３１）。
【００２９】
次に、上記の状態において、テンキー４７の〔２〕ボタンが押下されると、「〔２〕設定」が選択され、映像信号処理部３２は、「〔２〕設定」の下位階層である第２の階層５２を表示させるとともに、フォーカスをその第２の階層５２の一番上の項目である「〔１〕操作ボタンロック」に移動させる。そして、階層情報５４を「〔１〕設定＞〔１／１〕操作ボタンロック」と表示させる（Ｓ３２）。上記の状態において、テンキー４７の〔９〕ボタンが押下されると、操作ボタンロックの設定画面の２頁目の画面を表示させて、フォーカスを「〔１〕メッセージ表示」に移動し、階層情報５４を「〔１〕設定＞〔２／１〕メッセージ表示」と表示させる（Ｓ３３）。この状態において、テンキー４７の〔０〕ボタンが押下されると（Ｓ３４）、上位の階層であるトップ画面（第１の階層）に戻り、フォーカスを「〔２〕設定」に移動させるともに、階層情報５４を「〔２〕設定」と表示する（Ｓ３６）。また、上記の処理（Ｓ３３）の後に、テンキー４７の〔９〕ボタンが押下されると（Ｓ３５）、フォーカスを「〔８〕高地モード」に移動させるとともに、階層情報５４を「〔１〕設定＞〔８〕高地モード」と表示する（Ｓ３７）。以上の処理が適宜行われ、選択対象の項目に対応した数字ボタンを押下することにより該当する項目が選択され、そして、例えばメニューボタン４６が押下されることによりメニュー設定が終了することになる。
【００３０】
なお、上記の説明においては、第１の階層５１、第２の階層５２及び第３の階層５３が段階的に付加されて表示される例について説明したが、各階層の項目が予め設定されている場合（例えば初期設定されている場合や後に設定した場合）にはそれらの階層の全部又は一部（複数の階層に亘る）を同時に表示させるようにしてよい。
【００３１】
以上のように本実施形態１においては、複数の設定項目にそれぞれ当該設定項目を選択するための数値が付記されたメニュー画面５０が複数の階層５１〜５３に亘って同時に表示され、数字ボタンの操作でそれに対応した項目を取り込むようにしており、テンキー４７の数字ボタンの操作だけで済むのに加えて、複数の階層のメニュー画面が同時に表示されるので、相互の関係を直接把握することができ、操作性に優れたものとなっている。
【００３２】
また、メニュー画面５０の上位層に移行させるための数値（第１の数値）が特定されており（上記の例では〔０〕ボタン）、どの階層においてもその数値ボタンを操作すれば上位層に移行するので操作し易いものとなっている。
【００３３】
また、１つの階層のメニュー画面５０が複数の画面に亘るときには（図４、図５の例）、その画面切替えをするための数値（第２の数値）が特定されており（上記の例では〔９〕ボタン）、その画面切替えの際の操作が簡単なものとなっている。
【００３４】
また、表示されているメニュー画面５０にその階層を特定する階層情報５４を表示するようにしたので、どの階層の項目の選択をする状態になっているかを容易には把握することができ、この点からも操作性に優れたものとなっている。
【００３５】
また、表示されているメニュー画面５０についての項目が選択されると、選択された項目に関連する下位層のメニュー画面が併せて表示されるようにしたので、上位層と下位層との関係が分かり易いものとなっている。
【００３６】
なお、上記の実施形態においては、本発明の第１の数値として〔０〕、第２の数値として〔９〕の例について説明したが、これらの数値は任意に設定されるものである。
また、本発明の表示装置の一例として液晶ライトバルブ駆動部１４、液晶ライトバルブ１２及び投写光学系１３からなるものの例について示したが、本発明の表示装置は他の表示装置（例えば液晶表示装置等）においても同様に適用される。
また、本発明は、液晶ライトバルブを用いたプロジェクタばかりでなく、ＤＭＤ（Ｄｉｇｉｔａｌ  Ｍｉｃｒｏｍｉｒｒｏｒ  Ｄｅｖｉｃｅ）等を用いたプロジェクタにも適用可能である。ＤＭＤは米国テキサスインスルメンツ社の商標である。
また、本発明の電子機器の一例としてプロジェクタの例について説明したが、設定画面を必要とする機器であればよく、例えばテレビ受像機、ＤＶＤプレーヤ、ゲーム機器も含まれる。
【００３７】
また、設定画面としてメニュー画面の項目を選択する例について説明したが、本発明はそれ以外に何らかの項目を選択したり情報を入力するような設定画面であれば同様に適用される。
【００３８】
また、メニュー画面（設定画面）として階層が３個の例について説明したが、本発明においては、その階層の個数は必要に応じて任意に設定されるのである。
【図面の簡単な説明】
【００３９】
【図１】本発明の実施形態１に係るプロジェクタの構成を示すブロック図である。
【図２】メニュー画面の一例を示した図である。
【図３】明るさの調整画面の例を示した図である。
【図４】階層が２画面に亘って表示される例（その１）である。
【図５】階層が２画面に亘って表示される例（その２）である。
【図６】図２のメニュー画面を表示する際の処理を示すフローチャートである。
【図７】図３のメニュー画面を表示する際の処理を示すフローチャートである。
【図８】図４及び図５のメニュー画面を表示する際の処理を示すフローチャートである。
【符号の説明】
【００４０】
１０ プロジェクタ、 １１ 光源、１２ 液晶ライトバルブ、１３ 投写光学系、１４ 液晶ライトバルブ駆動部、２０ 制御部、２１ 演算部、３１ 映像入力部、３２ 映像信号処理部、３３ フレームメモリ、４３ 操作信号処理部、４４ 操作パネル、４５ 記憶部、４６ メニューボタン、４７ テンキー、５０ メニュー画面、５１ 第１の階層、５２ 第２の階層、５３  調整画面、５４ 階層情報。
【図１】
2009110265.tif 000003
【図２】
2009110265.tif 000004
【図３】
2009110265.tif 000005
【図４】
2009110265.tif 000006
【図５】
2009110265.tif 000007
【図６】
2009110265.tif 000008
【図７】
2009110265.tif 000009
【図８】
2009110265.tif 000010